(57)【要約】
【課題】  滑石粉製品を環状溝と組み合せて防蟻の効果を達成し、かつ頻繁に交換をする必要がなく、中毒の事故が起きることも、また環境問題を有することもなく、構造が簡単で低コストの１種の防蟻装置を提供する。
【解決手段】  底面、内環壁１２および外環壁１３を有し、上向きに開口する収容空間１４を形成する環状溝１０と、複数個の無毒性の固体小顆粒を含み、該環状溝１０の収容空間１４中に設置される所定容積の滑石粉製品２０とを備え、蟻が該環状溝１０を通過するのを防止する防蟻装置である。
【選択図】    図１
0003100616.tif 000002
【実用新案登録請求の範囲】
【請求項１】
底面、内環壁および外環壁を有し、上向きに開口する収容空間を形成する環状溝と、
複数個の無毒性の固体小顆粒を含み、該環状溝の収容空間中に設置される所定容積の滑石粉製品と、
を備えることにより、蟻が該環状溝を通過するのを防止することを特徴とする防蟻装置。
【請求項２】
該環状溝は内側に向かって水平に延伸し平板部を形成することを特徴とする請求項１記載の防蟻装置。
【請求項３】
防塵カバーを備え、該防塵カバーは中央部および中央部から外側に延伸するカバー部を有し、該カバー部は該環状溝の上方の所定箇所に位置し、かつ該滑石粉製品と該外環壁とに接触しないことを特徴とする請求項２記載の防蟻装置。
【請求項４】
該環状溝は内側に延伸し容器を形成することを特徴とする請求項１記載の防蟻装置。
【請求項５】
該滑石粉製品は汗疹パウダーであることを特徴とする請求項１記載の防蟻装置。
【考案の詳細な説明】
【技術分野】
【０００１】
本考案は１種の防蟻装置に関し、特に、頻繁に交換する必要がなく、無毒性、簡単な構造、低コスト等の利点および効果を兼ね備え、滑石粉製品を利用して防蟻を行う１種の防蟻装置を指す。
【背景技術】
【０００２】
伝統的な防蟻装置は非常に多いが、概ね以下の３類に分類することができる。
第１類は水を利用して防蟻を行うもの（例えば、以下の特許文献１）、図１および図２に示されるように、その構造はごみ箱体７１を含み、その底面は嵌め込み設計により、分離可能な盤状物７２に嵌設固定され、この盤状物７２は環状の貯水槽７３を備え、水を利用して防蟻を行う。しかし、この類の製品の欠点は以下の点にある。水が容易に揮発あるいは蒸発し、水がどんどん浅くなり、もし一時注意を怠って水の補充を忘れると無水状態となり、この時蟻が通過してしまう。もう１個の欠点は、ある地面は平らではなかったり、あるいは傾斜したりしており、貯水槽７３中の水深が均等でなくなり、連通区域ができてしまう場合もあり、それ故、蟻が通過することができる。
【０００３】
第２類は蟻除けの匂いを発する化学物品を利用するもの（例えば、以下の特許文献２）、図３に示されるように、設置座８１と底座８２との間に蟻除けの匂いを発する蟻除け体８３を設け、化学臭を利用して防蟻を行う。しかし、最大の欠点はこの類の蟻除け体８３は通常異臭を発し、毒性を有する場合もあり、もし不注意で子供やペットが接触してしまうと中毒の事故が起こる可能性もある。その他、この蟻除け体８３は絶えず匂いを発する必要があり、定期的に交換しないと効果がないが、蟻除け体８３を販売している場所は普遍的でなく、また交換が面倒であるのが別の欠点である。
【０００４】
第３類は電気を利用して防蟻を行うもの（例えば、以下の特許文献３）、図４に示されるように、その構造は上皿板９１、下皿板９２、数個の格子形電気回路板９３、数個の支柱９４、および電源９５等を含む。この格子形電気回路板９８上には正または負電圧（９から４０ボルト）がかかっており、蟻が通過した時に正または負電圧に接触してショートし、感電死させて、防蟻の目的を達成する。しかし、これの欠点は容易にショートしてしまうことであり（例えば地面を洗っている時の水がかかってしまう）、この他、電源から絶えず電気を供給しなければならず、設置場所が限られ、かつ使用コストが増加してしまう（変圧装置あるいは乾電池）。
これにより、新製品を研究開発して上述の欠点を解決する必要があった。
【０００５】
【特許文献１】台湾の公告番号４０３０８９の「防蟻機能を備えたごみ箱」
【特許文献２】台湾の公告番号２９１６４６の「防蟻座」
【特許文献３】台湾の公告番号２６８１９５の「防蟻可能な受け皿構造」
【考案の開示】
【考案が解決しようとする課題】
【０００６】
本考案の主要な目的は、蟻が滑石粉製品上を自由に這うことができないという特徴をうまく利用して、滑石粉製品を環状溝と組み合せ、防蟻の効果を達成し、かつ頻繁に交換をする必要がない１種の防蟻装置を提供することである。
【０００７】
本考案のもう１つの目的は、無毒性の特徴を有し、中毒の事故が起きることも、また環境問題を有することもない１種の防蟻装置を提供することである。
本考案のまたもう１つの目的は、構造が簡単で低コストの１種の防蟻装置を提供することである。
【課題を解決するための手段】
【０００８】
本考案は１種の防蟻装置を提供し、以下の内容を含む。
環状溝、該環状溝は底面、内環壁および外環壁を有し、上向きに開口する収容空間を形成する。
所定容積の滑石粉製品、該滑石粉製品は複数個の無毒性の固体小顆粒を含み、該環状溝の収容空間中に設置される。
これにより、蟻が該環状溝を通過するのを防止する。
【考案を実施するための最良の形態】
【０００９】
図５を参照する。これは本考案の防蟻装置の第１実施例による防蟻装置であり、以下の内容を含む。
環状溝１０、該環状溝１０は底面１１、内環壁１２および外環壁１３を含み、上向きに開口する収容空間１４を形成する。この環状溝１０は概ね水平状であり、地面あるいは卓上に設置できる。実務上この環状溝１０の平面図の形状は、円形、楕円形、多角形あるいはその他特殊形状でもよい。
【００１０】
所定容積の滑石粉製品２０、該滑石粉製品２０は複数個の無毒性の固体小顆粒を含み、該環状溝１０の収容空間１４中に設置される。当然、この滑石粉製品２０は、日常的に使用される汗疹パウダー（その主要成分は滑石粉であり、副次成分は香料および添加物である）であってもよく、あるいはその他の滑石粉を主要成分とする製品であってもよい。
【００１１】
これにより、蟻が該環状溝１０を通過するのを防止する。つまり、仮にこの環状溝１０の内環壁１２内にごみ箱６０（あるいは食べ物）を置いたとすると、ごみ箱６０には食べ物、果物のかすあるいは残飯などが入っている可能性があり、蟻を近くまで引き寄せる。蟻が本考案に接近した時、まず環状溝１０の外環壁１３上まで這い上がり、さらに該ごみ箱６０に接近しようとする。しかし、該環状溝１０の収容空間１４中には滑石粉製品２０が設置されており、蟻は通過することができない。よって蟻は外からごみ箱６０の所まで到達することができない。
【００１２】
次に、もし汗疹パウダーを本考案の滑石粉製品２０として採用する場合は、入手が容易であり（各薬局、コンビニエンスストア、中大型商店で販売されている）、安いだけでなく、さらに無毒性という利点があり、子供やペットに思いがけず害を及ぼすこともない。その他、この滑石粉製品２０は固体であり、水のように徐々に蒸発するために頻繁に補充する必要がない。
【００１３】
次に、図６を参照する。これは本考案の第２実施例による防蟻装置であり、第１実施例と同様の環状溝１０および滑石粉製品２０を有するが、該環状溝１０は内側に向かって水平に延伸し平板部１５を形成し、全体の構造は一体となっており、さらに丈夫である。
使用においては、ごみ箱６０全体（あるいは１皿の食べ物）を該平板部１５上に置くことができる。
【００１４】
図７および図８を参照する。これは本考案の第３実施例による防蟻装置であり、第２実施例と同様の環状溝１０および滑石粉製品２０を有するが、また以下の内容を含む。
防塵カバー３０、該防塵カバー３０は中央部３１および中央部から外側に延伸するカバー部３２を含み、該カバー部３２は該環状溝１０上方の所定箇所に位置し、かつ該滑石粉製品２０と該外環壁１３とには接触していない。
この防塵カバー３０の阻止により、塵埃あるいは水が滑石粉製品２０表面上に比較的落ちにくく、その他、本実施例の美観をさらに増すことができる。
【００１５】
図９を参照する。本考案の第４実施例による防蟻装置であるが、その内、この防蟻装置は該環状溝が内側に延伸し容器４０を形成する。この容器４０はごみ箱、皿あるいはその他の容器であってもよい。
当然、本考案はごみ箱に応用する以外に、図１０に示されるように、食卓５０のテーブル脚５１にも応用できる。この時、防蟻装置のサイズを少し小さくするだけで、大多数の食卓５０のテーブル脚５１上に適用でき、蟻が地面から食卓５０に這い上がるのを防止できる。原理は上と同様である。
【００１６】
その他、ある特殊な状況において蟻を飼育あるいは観察したい時は、蟻を内環壁１２の内側（第１および第２実施例をどちらも適用できる）へ置き、蟻が逃げ出すのを防止することもできる。
【００１７】
上述の内容をまとめると、本考案の利点および効果は以下のように要約することができる。
１、頻繁に交換する必要がない。本考案の滑石粉製品は揮発性を有しないため、水のように頻繁に補充する必要がない。たとえ交換しなければならない時でも、薬局、商店等どこでも買うことができる。
２、無毒性である。採用されている滑石粉製品は無毒性であるため、子供やペットが誤って食べ中毒になる可能性もなく、安全性が高い。
３、構造が簡単で低コストである。本考案の全体の構造は精巧で簡単であり、低コストなので、商業競争力が高い。
以上は比較的よい実施例により本考案を詳細に説明しただけであり、該実施例が行っていることに対するどのような簡単な修正も変化も、みな本考案の趣旨と範囲から逸脱しない。
【図面の簡単な説明】
【００１８】
【図１】従来の第１類防蟻装置を示す外観斜視図である。
【図２】従来の第１類防蟻装置を示す断面図である。
【図３】従来の第２類防蟻装置を示す断面図である。
【図４】従来の第３類防蟻装置を示す正面図である。
【図５】本考案の第１実施例による防蟻装置を示す外観斜視図である。
【図６】本考案の第２実施例による防蟻装置を示す外観斜視図である。
【図７】本考案の第３実施例による防蟻装置を示す分解斜視図である。
【図８】本考案の第３実施例による防蟻装置を示す断面図である。
【図９】本考案の第４実施例による防蟻装置を示す断面図である。
【図１０】本考案の別の１種の実施例による防蟻装置を示す外観斜視図である。
【符号の説明】
【００１９】
１０  環状溝、１１  底面、１２  内環壁、１３  外環壁、１４  収容空間、２０  滑石粉製品、３０  防塵カバー、３１  中央部、３２  カバー部、４０  容器、５０  食卓、５１  テーブル脚、６０  ごみ箱、７１  ごみ箱体、７２  盤状物、７３  貯水槽８１  設置座、８２  底座、８３  蟻除け体、９１  上皿板、９２  下皿板、９３  格子形電気回路板、９４  支柱、９５  電源
【図１】
0003100616.tif 000003
【図２】
0003100616.tif 000004
【図３】
0003100616.tif 000005
【図４】
0003100616.tif 000006
【図５】
0003100616.tif 000007
【図６】
0003100616.tif 000008
【図７】
0003100616.tif 000009
【図８】
0003100616.tif 000010
【図９】
0003100616.tif 000011
【図１０】
0003100616.tif 000012